(57)【要約】      （修正有）【課題】使い勝手を向上し得る洗濯機を提供する。【解決手段】少なくとも８ｋｇの被洗浄物１８の洗濯が可能であり略中央底部に被洗浄物１８を攪拌するパルセータ６を有した洗濯兼脱水槽５と、洗濯兼脱水槽５を内部に回転自在に設置した水槽４と、パルセータ６および洗濯兼脱水槽５を回転させる駆動手段８と、被洗浄物１８を出し入れする投入口２５を開閉する蓋２１と、洗濯を実施するのに必要なボタンおよび表示を有する操作部２２とを備え、操作部２２は本体の略後部に配置し、本体の幅サイズを５７０ｍｍ以下、本体前面部の床面からの高さを８１０〜８３０ｍｍ、洗濯兼脱水槽５の底部５ｂの床面からの高さを３４０ｍｍ以上とした。【選択図】図１
2016168129.tif 000002
【特許請求の範囲】
【請求項１】
洗濯兼脱水槽と、前記洗濯兼脱水槽を内部に回転自在に設置する水槽と、前記水槽を内部に設置する本体と、前記本体上面に形成し、被洗濯物を出し入れする投入口と、前記投入口を開閉する蓋と、操作ボタンおよび表示部を有する操作表示部とを備え、前記操作表示部は前記本体の後部に配置し、本体上面前部の床面からの高さを８１０〜８３０ｍｍ、前記洗濯兼脱水槽の底部の床面からの高さを３４０ｍｍ以上とした洗濯機。
【請求項２】
前記本体上面の投入口側端部から洗濯兼脱水槽の底部の奥までの距離を６５０ｍｍ以下に形成した請求項１に記載の洗濯機。
【請求項３】
前記本体上面の前面部と前記投入口の前部との奥行き方向の幅を１０５ｍｍ以下に形成した請求項１または２に記載の洗濯機。
【請求項４】
前記洗濯兼脱水槽は、少なくとも８ｋｇの被洗浄物の洗濯が可能な容積に形成した請求項１から３のいずれか１項に記載の洗濯機。
【請求項５】
前記洗濯兼脱水槽は、脱水工程での振動を低減する流体バランサを備え、前記流体バランサの内径をφ３９０ｍｍ以上に形成した請求項１から４のいずれ開口に記載の洗濯機。
【請求項６】
本体の幅寸法を５７０ｍｍ以下に形成した請求項１から５のいずれか１項に記載の洗濯機。
【発明の詳細な説明】
【技術分野】
【０００１】
本発明は、使い勝手を向上させる洗濯機に関するものである。
【背景技術】
【０００２】
従来、この種の洗濯機１は、図５に示す縦断面図、及び図６に示す上面図のような構成をしている。以下、図５及び図６を参照して従来の洗濯機の構成を説明する。
【０００３】
図５に示す従来の洗濯機１の縦断面図において、洗濯機１は、筐体３の四隅上部３ａに４本の吊り棒２が配置され、吊り棒２が水槽４の下部４ａを１箇所ずつ計４箇所で吊り下げている。水槽４は、吊り棒２により吊り下げられているので、自由に振れ回ることが可能である。
【０００４】
水槽４の内部には、洗濯兼脱水槽５が回転自在に配設されている。洗濯兼脱水槽５は、底部にパルセータ６を回転自在に配設し、パルセータ６の下面には、下側羽根７がパルセータ６と一体に設けられている。
【０００５】
駆動手段８は、減速機構９および回転軸１０を介してパルセータ６と洗濯兼脱水槽５とを選択的に駆動する。
【０００６】
循環水路１１は、パルセータ６の下側羽根７外周のポンプ室１２から洗濯兼脱水槽５の上部または中部に至るように設けており、循環水路１１の上部または中部にリントフィルタ１３を着脱自在に設けている。
【０００７】
排水手段１４は、排水弁１５と排水ホース１６から構成され、水槽４内の洗濯水およびすすぎ水を排水するものであり、給水弁１７は水槽４内に給水するものである。
【０００８】
洗濯兼脱水槽５には、側面に多数の水抜き孔５ａが設けられており、水槽４および洗濯兼脱水槽５内の洗濯水またはすすぎ水を排水し終わった状態で洗濯兼脱水槽５が駆動手段８により回転すると、被洗浄物１８が遠心力を受けて洗濯兼脱水槽５の側面に移動し、被洗浄物１８に含まれている洗濯水およびすすぎ水が、遠心力により洗濯兼脱水槽５の側面に設けた水抜き孔５ａを介して水槽４へ移動していくものである。水抜き孔５ａは、ブラジャーのフック等が引っかからない程度の大きさと形状に形成している。
【０００９】
洗濯兼脱水槽５の上部には、脱水時の振動を低減させるための流体バランサ１９を設けている。
【００１０】
洗濯機１の上部を構成する上部枠体２０には、被洗浄物１８を洗濯兼脱水槽５内に出し入れする投入口２５を設け、投入口２５を開閉自在に閉塞する蓋２１を設けている。上部枠体２０には、蓋２１の前方位置に操作部２２を設けている。
【００１１】
蓋２１を開くと、投入口２５が現れて、投入口２５から被洗浄物１８を洗濯兼脱水槽５内に出し入れできるようになっている。運転中は、蓋２１を閉じることで投入口２５が覆われるので、使用者が洗濯兼脱水槽５内に手を入れたりする虞がなく、安全である。
【００１２】
上記構成において、以下に動作を説明する。
【００１３】
使用者が洗濯したい被洗浄物１８を洗濯兼脱水槽５に洗剤とともに投入し、操作部２２
内のスタートボタン(図示しない)を押すことで、給水弁１７から所定量の洗濯水が水槽４に供給される。所定量の洗濯水が供給されると、減速機構９および回転軸１０を介して駆動手段８により、パルセータ６を所定の回転数で回転し、洗濯兼脱水槽５内の洗濯水および被洗浄物１８を攪拌して被洗浄物１８から汚れを落とす洗い行程が行われる。
【００１４】
所定時間の洗い行程が終了すると、排水弁１５が動作して水槽４内の洗濯水を排水し、排水が終了すると、減速機構９および回転軸１０を介して駆動手段８により、洗濯兼脱水槽５を所定の回転数で回転し、被洗浄物１８が含んでいる洗濯水を被洗浄物１８から分離して排水する第一の脱水行程が行われる。
【００１５】
第一の脱水行程が所定時間行われると、再び給水弁１７から所定量のすすぎ水が水槽４に供給され、パルセータ６を所定の回転数で回転して、洗濯兼脱水槽５内のすすぎ水および被洗浄物１８を攪拌して被洗浄物１８に残っている洗剤成分を除去するすすぎ行程が行われる。
【００１６】
所定時間のすすぎ行程が終了すると、排水弁１５が動作して水槽４内のすすぎ水を排水し、排水が終了すると、駆動手段８により洗濯兼脱水槽５が所定の回転数で回転して、被洗浄物１８が含んでいるすすぎ水を被洗浄物１８から分離して排水する第二の脱水行程が行われる。その後、再びすすぎ水が供給されて最終すすぎ行程が行われる。
【００１７】
最終すすぎ行程が終了すると、水槽４内のすすぎ水が排水され、排水が終了すると、駆動手段８により洗濯兼脱水槽５を所定の回転数で回転し、被洗浄物１８が含んでいるすすぎ水を被洗浄物１８から分離して排水する最終脱水行程が行われて運転が終了する（特許文献１参照）。
【先行技術文献】
【特許文献】
【００１８】
【特許文献１】特開２００５−６５９９８号公報
【非特許文献】
【００１９】
【非特許文献１】社団法人  人間生活工学研究センター発行、「日本人の人体寸法データブック２００４−２００６」
【発明の概要】
【発明が解決しようとする課題】
【００２０】
しかしながら、図５及び図６に示す従来の洗濯機１の構成では、以下の課題がある。
【００２１】
日本は高齢社会となり、高齢者のみの世帯が増加しており、６５歳以上のお高齢者が洗濯機１を使用する割合が増加している。
【００２２】
日本人女性の６５〜７４歳における平均身長は１５２ｃｍであり、平均転子高は７６ｃｍ、平均上肢長６５ｃｍである（非特許文献１参照）。
【００２３】
また、夫婦二人暮らしや一人暮らしの高齢者も増加しており、一度に洗濯する被洗浄物の量も少量であり、家自体も一人暮らし、二人暮らしに適した広さになっている場合もある。そのため、洗濯機１は大型のものではなく、コンパクトなサイズが要望されている。
【００２４】
製品サイズがコンパクトな洗濯機は、洗濯容量が５〜７ｋｇである。上記の高齢者世帯の生活スタイルを考慮に入れると、高齢者世帯には、洗濯容量が５〜７Ｋｇ程度の洗濯機１が適当と推測される。
【００２５】
一方、毛布をクリーニング店まで持ち運ぶのが大変であるという理由から、自宅の洗濯機１で洗いたいという需要も多い。毛布を自宅の洗濯機で洗濯するという要望を適えるためには、洗濯機の洗濯容量は、少なくとも７〜８ｋｇ程度が必要となる。
【００２６】
このような高齢者に適した洗濯機１の要件は、現在洗濯機を設置している洗濯機置場に入れ替えが可能であり、被洗浄物１８の出し入れが容易であることである。すなわち、製品サイズがコンパクトで、被洗浄物の取り出しの際に、身体への負担が少ない状態で洗濯兼脱水槽５の底部奥２４に使用者の手が届き、容易に被洗浄物１８の取出しが可能であること、毛布が洗えることになると推測される。
【００２７】
毛布等の大物の被洗浄物１８に対して所望の洗浄性能を得るためには、洗濯容量は、少なくとも８〜９ｋｇの洗濯機にする必要がある。また、毛布等の大物の被洗浄物の出し入れ性を向上させるためには、投入口２５の直径２５ａを大きくする必要がある。洗濯容量を大きくし、且つ投入口２５の直径２５ａを大きくすると、洗濯兼脱水槽５の内径および水槽４の内径も大きくなり、洗濯機の幅寸法及び奥行き寸法も大きくなる。その結果、洗濯機の買い替えの際に、現在洗濯機を設置している設置場所に設置できない場合が生じる課題がある。
【００２８】
洗濯機の幅寸法及び奥行き寸法を大きくすることなく洗濯容量を増やすためには、洗濯兼脱水槽５および水槽４の高さを高くする、すなわち、洗濯機の高さを高くして洗濯兼脱水槽５の底部５ｂを低くすることが考えられる。
【００２９】
しかしながら、洗濯兼脱水槽５の底部５ｂを低くすると、上部枠体２０の投入口２５側端部Ｐ１から洗濯兼脱水槽５の底部奥２４までの距離Ｌ１が長くなり、高齢女性の平均上肢長６５０ｍｍよりも長くなって、被洗浄物１８を取り出しにくくなるという課題が発生する。
【００３０】
また、洗濯機の高さを高くすると、高齢女性の平均転子高７６０ｍｍよりも洗濯機１の上面前部における床面からの高さＨａが高くなるため、使用者は背伸びをして肩や頭等を洗濯兼脱水槽５内に入れなければ被洗浄物１８が取りだせなくなり、身体への負担が大きくなる等洗濯物の出し入れ性が低下する課題が発生する。
【００３１】
図７及び図８に示すように、水槽４の前面部から筐体３の前面部までの奥行き方向の寸法を短くするために、洗濯兼脱水槽５及び水槽４を前方に移動させて４本の吊り棒２の略中央に配置することが考えられる。そして、運転中に洗濯兼脱水槽５および水槽４が自由に振れ回ることができる距離を確保すると、水槽４の前面部から筐体３の前面部までの奥行き方向の寸法は、距離Ｔ１となり、図５及び図６の洗濯機における距離Ｔ２より短くすることができ、洗濯兼脱水槽５および投入口２５を使用者に近づけることが可能となる。
【００３２】
しかしながら、操作部２２が洗濯機１の前方に配置されているので、上部枠体２０の前面部と投入口２５の前部とは、操作部２２を配置するために奥行き方向に幅Ｗ１が必要となる。
【００３３】
図７及び図８に示すように、水槽４の前面部から筐体３の前面部までの距離Ｔ１及び上部枠体２０の前面部と投入口２５の前面部の幅Ｗ１を確保すると、洗濯兼脱水槽５の前後方向の中心位置Ｃ２が、上部枠体２０の投入口２５の前後方向の中心位置Ｃ１よりも前に配置され、上部枠体２０の洗濯兼脱水槽５への給水位置２０ａが後方に移動することになり、洗濯水およびすすぎ水が洗濯兼脱水槽５内に供給されずに、水漏れを発生させる虞が生じる。
【００３４】
この課題を解決するために、図５および図６に示すように、吊り棒２の筐体３に対する取付位置を、洗濯兼脱水槽５の中心位置Ｃ２と上部枠体２０の投入口２５の中心位置Ｃ１とが同じ中心位置になるように、水槽４の吊り位置を移動させると、水漏れの発生は防止可能となる。
【００３５】
しかしながら、水槽４の前面部から筐体３の前面部までの奥行き方向の寸法は、距離Ｔ２となり、距離Ｔ１と距離Ｔ２の関係は、
距離Ｔ２＞距離Ｔ１
となって、上部枠体２０の投入口２５および洗濯兼脱水槽５が筐体３の前面部から遠くなり、洗濯物が取り出しにくいという課題が解決できない。
【００３６】
また、洗濯機１の前面部側の高さも、洗濯機１の前面部に操作部２２を配置しているため、操作部２２の厚さ分だけ上部枠体２０の前面部の高さＨ１が必要になる。このため、筐体３上面前部の床面からの高さＨａは低くできないので、被洗浄物１８を取り出しにくいという課題が解決できない。
【００３７】
以上のように、操作部２２を前面部に配置することにより、幅Ｗ１と高さＨ１が必要となるため、使用者にとって、投入口２５が遠くなり、投入口２５の前後方向に対する被洗浄物１８の取り出しにくいという課題が解決できない。
【００３８】
本発明は、前記従来技術の問題に鑑み、被洗浄物等の出し入れを容易にして使い勝手を向上し得る洗濯機を提供することを目的としている。
【課題を解決するための手段】
【００３９】
前記従来の課題を解決するため、本発明の洗濯機は、洗濯兼脱水槽と、前記洗濯兼脱水槽を内部に回転自在に設置する水槽と、前記水槽を内部に設置する本体と、前記本体上面に形成し、前記被洗濯物を出し入れする投入口と、前記投入口を開閉する蓋と、操作ボタンおよび表示部を有する操作表示部とを備え、前記操作表示部は前記本体の後部に配置し、本体上面前部の床面からの高さを８１０〜８３０ｍｍ、前記洗濯兼脱水槽の底部の床面からの高さを３４０ｍｍ以上としたものである。
【００４０】
これにより、使用者が洗濯兼脱水槽に被洗浄物を入れることができる上部枠体の端部から洗濯兼脱水槽の底部奥までの距離を６５０ｍｍ以下とすることができる。それゆえ、上肢長が６５０ｍｍ以下の日本の高齢女性にとって、洗濯兼脱水槽の底部奥にある被洗浄物を取り出すときに、腕を洗濯兼脱水槽の中に入れるだけで取り出すことができるので、肩や頭等を洗濯兼脱水槽の中に入れて無理な姿勢で被洗浄物を取り出す必要がなく、体、特に上半身への負担を大きく低減することができる。
【００４１】
また、洗濯機の前面部の床面からの高さが８１０ｍｍ〜８３０ｍｍなので、転子高が約７６０ｍｍの日本の高齢女性には、腰高さ近傍に洗濯機の前面部の高さがあるので、腰や膝をかがめたり、背伸びをして被洗浄物を取り出す必要がなく、下半身への負担を大きく低減することができる。
【００４２】
さらに、操作部を後方に配置したことにより、水槽および洗濯兼脱水槽の吊り位置を前方に移動させることができるので、洗濯兼脱水槽が使用者により近づくことになり、被洗浄物の取り出し性が向上することになる。
【００４３】
また、洗濯兼脱水槽の底部の床面からの高さが３４０ｍｍ以上あるので、毛布等の大物の被洗浄物の取り出し性を向上させることができる。
【発明の効果】
【００４４】
本発明の洗濯機は、請求項１の構成にしたから、使用者、特に日本の高齢女性にとって、洗濯機からの被洗浄物の取り出し時に、腰や膝、腕、肩への負担を低減し、且つ毛布等の大物の被洗浄物が洗浄できるとともに取り出し性を改善することができ、使い勝手の良い洗濯機を提供することができる。
【図面の簡単な説明】
【００４５】
【図１】本発明の第１の実施の形態の洗濯機の前後方向の縦断面図
【図２】同洗濯機の上面図
【図３】同洗濯機の別の例の前後方向の縦断面図
【図４】同洗濯機の上面図
【図５】従来の洗濯機の前後方向の縦断面図
【図６】同洗濯機の上方から見た平面図
【図７】他の従来の洗濯機の前後方向の縦断面図
【図８】同洗濯機の上方から見た平面図
【発明を実施するための形態】
【００４６】
第１の発明は、洗濯兼脱水槽と、前記洗濯兼脱水槽を内部に回転自在に設置する水槽と、前記水槽を内部に設置する本体と、前記本体上面に形成し、前記被洗濯物を出し入れする投入口と、前記投入口を開閉する蓋と、操作ボタンおよび表示部を有する操作表示部とを備え、前記操作表示部は前記本体の後部に配置し、本体上面前部の床面からの高さを８１０〜８３０ｍｍ、前記洗濯兼脱水槽の底部の床面からの高さを３４０ｍｍ以上としたものである。
【００４７】
これにより、使用者が洗濯兼脱水槽に被洗浄物を入れることができる上部枠体の端部から洗濯兼脱水槽の底部奥までの距離を６５０ｍｍ以下とすることができる。それゆえ、上肢長が６５０ｍｍ以下の日本の高齢女性にとって、洗濯兼脱水槽の底部奥にある被洗浄物を取り出すときに、腕を洗濯兼脱水槽の中に入れるだけで取り出すことができるので、肩や頭等を洗濯兼脱水槽の中に入れて無理な姿勢で被洗浄物を取り出す必要がなく、体、特に上半身への負担を大きく低減することができる。
【００４８】
また、洗濯機の前面部の床面からの高さが８１０ｍｍ〜８３０ｍｍなので、転子高が約７６０ｍｍの日本の高齢女性には、腰高さ近傍に洗濯機の前面部の高さがあるので、腰や膝をかがめたり、背伸びをして被洗浄物を取り出す必要がなく、下半身への負担を大きく低減することができる。
【００４９】
さらに、操作部を後方に配置したことにより、水槽および洗濯兼脱水槽の吊り位置を前方に移動させることができるので、洗濯兼脱水槽が使用者により近づくことになり、被洗浄物の取り出し性が向上することになる。
【００５０】
また、洗濯容量は８ｋｇであること、洗濯兼脱水槽の底部の床面からの高さが３４０ｍｍ以上あるので、毛布等の大物の被洗浄物の取り出し性を向上させることができる。
【００５１】
したがって、使用者、特に日本の高齢女性にとって、洗濯機からの被洗浄物の取り出し時に、腰や膝、腕、肩への負担を低減し、且つ毛布等の大物の被洗浄物が洗浄できるとともに取り出し性を改善することができ、使い勝手の良い洗濯機を提供することができる。
【００５２】
第２の発明は、特に、第１の発明において、前記本体上面の投入口側端部から洗濯兼脱水槽の底部の奥までの距離を６５０ｍｍ以下に形成したことにより、上肢長が６５０ｍｍ
以下の日本の高齢女性にとって、洗濯兼脱水槽の底部奥にある被洗浄物を取り出すときに、腕を洗濯兼脱水槽の中に入れるだけで取り出すことができるので、肩や頭等を洗濯兼脱水槽の中に入れて無理な姿勢で被洗浄物を取り出す必要がなく、体、特に上半身への負担を大きく低減することができる。
【００５３】
第３の発明は、特に、第１または第２の発明において、前記本体上面の前面部と前記投入口の前部との奥行き方向の幅を１０５ｍｍ以下に形成したことにより、投入口を使用者に近づけることができ、被洗浄物の取り出し作業性を向上することができる。
【００５４】
第４の発明は、特に、第１から第３の発明において、前記洗濯兼脱水槽は、少なくとも８ｋｇの被洗浄物の洗濯が可能な容積に形成したことにより、毛布を洗濯することが可能となる。
【００５５】
第５の発明は、特に、第１から第４の発明において、前記洗濯兼脱水槽は、脱水工程での振動を低減する流体バランサを備え、前記流体バランサの内径をφ３９０ｍｍ以上に形成したことにより、毛布等の大物の被洗浄物の取り出し性を向上させることができる。
【００５６】
第６の発明は、特に、第１から第５の発明において、本体の幅寸法を５７０ｍｍ以下に形成したことにより、洗濯機の買い替えの際に、現在洗濯機を設置している設置場所に設置することが可能となる。
【００５７】
以下、本発明の第１の実施の形態について、図面を参照しながら説明する。なお、従来例と同一構成品については同一符号を付して説明を省略する。また、本実施の形態によって本発明が限定されるものではない。
【００５８】
（実施の形態１）
図１は、本実施の形態１の洗濯機の前後方向の縦断面図であり、図２は、同洗濯機の上面図である。
【００５９】
図１及び図２に示す洗濯機１は、洗濯兼脱水槽５が、少なくとも８ｋｇの被洗浄物の洗濯が可能な容積に形成し、毛布等の大物の被洗浄物１８を洗濯することが可能な容積に設定している。本実施の形態の洗濯兼脱水槽５は、被洗濯物の洗濯容積を８Ｋｇに設定している。洗濯兼脱水槽５は、内径をφ４５０ｍｍ以上に形成し、毛布等の大物の被洗浄物１８が容易に出し入れ可能できる内径に設定している。洗濯兼脱水槽５の底部５ｂの床面からの高さＨｃは、３４０ｍｍ以上に形成している。
【００６０】
洗濯機１は、洗濯兼脱水槽５の洗濯容量を８ｋｇとし、洗濯兼脱水槽５の内径がφ４５０ｍｍ以上とする条件では、洗濯兼脱水槽５の底部５ｂの床面からの高さＨｃを３４０ｍｍ以上の高さにすることができる。
【００６１】
洗濯兼脱水槽５の底部５ｂの床面からの高さＨｃを従来よりも高くすることにより、洗濯兼脱水槽５の高さが低くなり、水槽４の高さも低くなる。よって、水槽４の外径を従来と略同一径に設定すると、脱水時等の洗濯兼脱水槽５の振動による水槽４の振幅が従来よりも低減でき、筐体３と水槽４との間隔を狭く設定することが可能となる。これにより、洗濯機１は、横幅寸法を５７０ｍｍ以下に形成している。これにより、洗濯機の買い替えの際に、現在洗濯機を設置している設置場所に設置することが可能となる。
【００６２】
洗濯機１の上部を構成する上部枠体２０に蓋２１が開閉自在に設けられ、蓋２１の後方位置に操作部２２を配設している。操作部２２を後方位置に配置することにより、洗濯機１の前上部に操作部２２および操作部２２の関連部品がなくすことができる。
【００６３】
よって、上部枠体２０の前面部と投入口２５の前部との奥行き方向の幅Ｗ２は、従来品の上部枠体２０の前面部と投入口２５の前面部との奥行き方向の幅Ｗ１よりも狭くでき、また、上部枠体２０の前面部高さＨ２を従来品の上部枠体２０の前面部高さＨ１よりも低くすることができる。
【００６４】
本実施の形態では、上部枠体２０の前面高さＨ２を低く形成することにより、洗濯機１の前面部の床面から上部枠体２０前部状面までの高さＨｂを８１０〜８３０ｍｍの範囲に設定している。
【００６５】
４本の吊り棒２の筐体３に対する取付位置は、従来品の上部枠体２０の前面部と投入口２５の前部との幅Ｗ１から上部枠体２０の前面部と投入口２５の前部との幅Ｗ２を引いた長さＷ３（Ｗ１−Ｗ２）分、前方に移動させている。これにより、水槽４および洗濯兼脱水槽５の吊り位置をＷ３だけ前方に移動させることができる。
【００６６】
すなわち、水槽４の前面部から筐体３の前面部までの距離Ｔ１は、運転中に洗濯兼脱水槽５および水槽４が洗濯機１内で自由に振れ回ることができる最小の距離Ｔ１に形成することができる（Ｔ１＜Ｔ２）。
【００６７】
これにより、上部枠体２０の前面部と投入口２５の前部との奥行き方向の幅Ｗ２は、１０５ｍｍ以下に形成している。
【００６８】
このように構成された本実施の形態１の洗濯機によれば、洗濯兼脱水槽５の洗濯容量が８ｋｇの洗濯機１であって、洗濯兼脱水槽５の内径をφ４５０ｍｍ以上、洗濯兼脱水槽５の底部５ｂの床面からの高さＨｃを３４０ｍｍ以上、洗濯機１の前面部の床面からの高さＨｂを８１０〜８３０ｍｍに設定することで、使用者が洗濯兼脱水槽５に被洗浄物１８を入れることができる上部枠体２０の投入口側端部Ｐ２から洗濯兼脱水槽５の底部奥２４までの距離Ｌ２は、
Ｌ２≦６５０ｍｍ
にすることができる。
【００６９】
これにより、平均の上肢長が６５０ｍｍ以下の日本の高齢女性にとって、洗濯兼脱水槽５の底部奥２４にある被洗浄物１８を取り出す際に、腕を洗濯兼脱水槽５の中に入れるだけで取り出すことができるようになり、肩や頭等を洗濯兼脱水槽５の中に入れて無理な姿勢で被洗浄物１８を取り出す必要がなく、体、特に上半身への負担を大きく低減することができる。
【００７０】
また、洗濯機１の前面部の床面からの高さＨｂを８１０ｍｍ〜８３０ｍｍに設定しているので、平均の転子高が約７６０ｍｍの日本の高齢女性には、腰高さ近傍に洗濯機１の前面部が位置することになり、腰や膝をかがめる、あるいは背伸びをするなどして被洗浄物１８を取り出す必要がなく、下半身への負担を大きく低減することができる。
【００７１】
４本の吊り棒２の筐体３に対する取付位置は、従来品の上部枠体２０の前面部と投入口２５の前部との幅Ｗ１から上部枠体２０の前面部と投入口２５の前部との幅Ｗ２を引いた長さＷ３（Ｗ１−Ｗ２）分、前方に移動させている。これにより、水槽４および洗濯兼脱水槽５の吊り位置をＷ３だけ前方に移動させることができるので、洗濯兼脱水槽５が使用者により近づくことになり、被洗浄物１８の取り出し性を向上させることができる。
【００７２】
洗濯兼脱水槽５は、８ｋｇの被洗浄物の洗濯が可能な容積に形成しているので、毛布等の大物の被洗浄物１８を洗濯することができる。また、洗濯兼脱水槽５の底部５ｂの床面
からの高さを３４０ｍｍ以上に設定することにより、毛布等の大物の被洗浄物１８の取り出し性を向上させることができる。
【００７３】
以上により、洗濯機の横幅寸法及び奥行き寸法を、８Ｋｇの洗濯容量の従来の洗濯機１と略同サイズにすることができるので、従来の洗濯機１の設置場所に設置することが可能となる。洗濯兼脱水槽５の底部５ｂの床面からの高さＨｃを３４０ｍｍ以上、筐体３前面部の床面からの高さＨｂを８１０〜８３０ｍｍとすることで、使用者、特に日本の高齢女性にとって、洗濯機１からの被洗浄物１８の取り出し時に、腰や膝、腕、肩への負担を低減して、毛布等の大物の被洗浄物１８の取り出し性を向上することができ、使い勝手の良い洗濯機１を提供することができる。
【００７４】
（実施の形態２）
図３は、本実施の形態２の洗濯機の前後方向の縦断面図であり、図４は、同洗濯機の上面図である。
【００７５】
洗濯兼脱水槽５の上部には、脱水時の振動を低減させるための流体バランサ１９が設けられている。実施の形態１においては、流体バランサ１９の内径１９ａをφ３８１ｍｍに形成しているが、実施の形態２においては、流体バランサ１９の内径１９ａは、φ３９０ｍｍ以上に形成している。流体バランサ１９の内径を大きくすることにより、衣類等の被洗浄物１８だけでなく、毛布等の大物の被洗浄物１８が流体バランサ１９に引っかかることなく容易に出し入れすることができる。
【００７６】
実施の形態１の流体バランサ１９と実施の形態２の流体バランサ１９は、外径は同じであるが、内径は、実施の形態１のφ３８１ｍｍから、実施の形態２は、φ３９０ｍｍ以上に形成して９ｍｍ以上径大に形成している。これにより、実施の形態２は、流体バランサ１９の内径前部から水槽４の前面部までの距離Ｗｂを、実施の形態１の流体バランサ１９の内径前部から水槽４の前面部までの距離Ｗａよりも短くすることができる。
【００７７】
よって、実施の形態２においては、上部枠体２０の前面部と投入口２５の前部との奥行き方向の幅Ｗ４を、実施の形態１の上部枠体２０の前面部と投入口２５の前部との奥行き方向の幅Ｗ２よりもより狭くすることができ、投入口２５の端部を使用者により近づけることができ、被洗浄物１８の出し入れをより容易に行うことができる。
【００７８】
このように構成された実施の形態２の洗濯機は、流体バランサ１９の内径１９ａを、実施の形態１の流体バランサの内径φ３８１ｍｍからφ３９０ｍｍ以上にすることで、毛布等の大物の被洗浄物１８が流体バランサ１９に引っかかることなく容易に出し入れすることができ身体への負担を低減することができる。
【００７９】
また、流体バランサ１９の内径１９ａが、実施の形態１の内径よりも９ｍｍ以上大きくなるので、流体バランサ１９の径方向の厚みが４．５ｍｍ以上薄くできる。これにより、上部枠体２０の前面部と投入口２５の前部との奥行き方向の幅Ｗ４が実施の形態１の幅Ｗ２よりもより狭くできるので、投入口２５の端部を使用者により近づけることができ、被洗浄物１８の出し入れをより容易に行うことができる。
【００８０】
以上のように、本発明の実施の形態１及び実施の形態２の洗濯機は、使用者、特に日本の高齢女性にとって、洗濯機１からの被洗浄物１８の取り出し時に、腰や膝、腕、肩への負担をより低減して、毛布等の大物の被洗浄物１８の取り出し性をより改善することができ、使い勝手のより良い洗濯機を提供することができる。
【産業上の利用可能性】
【００８１】
以上のように、本発明にかかる洗濯機は、被洗浄物を取り出しやすくすることができるので、家庭用の洗濯機だけでなく、業務用の洗濯機の用途にも適用できる。
【符号の説明】
【００８２】
１    洗濯機
２    吊り棒
４    水槽
５    洗濯兼脱水槽
６    パルセータ
８    駆動手段
１８  被洗浄物
１９  流体バランサ
２１  蓋
２２  操作部
２５  投入口
【図１】
2016168129.tif 000003
【図２】
2016168129.tif 000004
【図３】
2016168129.tif 000005
【図４】
2016168129.tif 000006
【図５】
2016168129.tif 000007
【図６】
2016168129.tif 000008
【図７】
2016168129.tif 000009
【図８】
2016168129.tif 000010